(57)【要約】ディジタルマルチメディアは、単方向無線チャネル上で無線受信機へ放送され、一方で、マルチメディアを提示するのに必要な制御データは、双方向のポイント ツウ ポイント無線リンク上で与えられる。
2006523386.tif 000002
【特許請求の範囲】
【請求項１】
通信システムであって、
少なくとも１つのマルチメディアストリームを無線で放送する少なくとも１つの放送局と、
無線放送リンク上でストリームを受信する少なくとも１つの無線受信機とを含み、
受信機が、双方向無線リンク上でマルチメディアストリームに関係する制御データを与えれられる通信システム。
【請求項２】
双方向無線リンクが、放送リンクと関係付けられていない請求項１記載のシステム。
【請求項３】
放送リンクが、単方向であり、ＣＤＭＡの原理、ＧＳＭの原理、およびＯＦＤＭの原理の中の少なくとも１つによって特徴付けられる請求項１記載のシステム。
【請求項４】
双方向無線リンクが、ＣＤＭＡリンク、ＧＳＭリンク、802.11リンク、およびブルートゥースリンクを含むグループから選択される請求項１記載のシステム。
【請求項５】
双方向無線リンクが、ポイント ツウ ポイント無線通信リンクである請求項１記載のシステム。
【請求項６】
受信機が、マルチメディアデータを表示する少なくとも１つのディスプレイをもつ移動通信装置である請求項１記載のシステム。
【請求項７】
受信機が、マルチメディアオーディオデータを与える少なくとも１つのスピーカをもつ移動通信装置である請求項１記載のシステム。
【請求項８】
制御データが、マルチメディアストリームを解読するのに役立つ少なくとも１つのキーと、マルチメディア放送サービスへの加入と関係付けられたデータと、マルチメディア放送ネットワーク上の登録と関係付けられたデータと、マルチメディアデータを復号するのに役立つ少なくとも１つのアプリケーションと、請求書発行情報と、ユーザの好みに関係するデータと、マルチメディアストリームを与えることに関係するサービスのレベルに関係するデータとの中の少なくとも１つを含む請求項１記載のシステム。
【請求項９】
サービスが、双方向リンク上で注文される請求項１記載のシステム。
【請求項１０】
製品が、双方向リンク上で注文される請求項１記載のシステム。
【請求項１１】
マルチメディアストリームを、少なくとも暗号化し、符号化し、および／または集約するのに役立つ少なくとも１つのディジタル放送マルチメディア（digital broadcast multimedia, DBM）制御装置をさらに含む請求項１記載のシステム。
【請求項１２】
制御データが、マルチメディアストリームをデインターリービング、逆圧縮、および復号するのに役立つデータを含む請求項１記載のシステム。
【請求項１３】
制御データが、チャネルの選択および追跡のために、マルチメディアストリーム内へ索引を付けるのに役立つデータを含む請求項１記載のシステム。
【請求項１４】
ＤＢＭ制御装置と、少なくともそこからキーを受信するために通信し、双方向無線リンク上で無線受信機と通信する少なくとも１つのネットワーク制御局をさらに含む請求項１１記載のシステム。
【請求項１５】
少なくとも、受信機に、マルチメディアストリームを再生することに関係するアプリケーションを与えるネットワーク制御局と関係付けられた少なくとも１つのＮＣＣ制御装置をさらに含む請求項１４記載のシステム。
【請求項１６】
少なくとも、受信機に、マルチメディアストリームを再生することに関係するアプリケーションを双方向無線リンクを経由して与えるための、放送ネットワークオペレーションセンターと関係付けられた少なくとも１つのネットワークオペレーション制御装置（network operations controller, NOC）をさらに含む請求項１４記載のシステム。
【請求項１７】
マルチメディアストリームを無線通信装置に与える方法であって、
無線放送チャネル上で、マルチメディアストリームを放送することと、
双方向無線リンク上で、装置上にマルチメディアストリームを表示するのに必要な制御データを伝送することとを含む方法。
【請求項１８】
少なくとも幾つかの制御データを無線装置へ伝送する請求項１７記載の方法。
【請求項１９】
少なくとも幾つかの制御データが無線装置から伝送される請求項１７記載の方法。
【請求項２０】
双方向無線リンクが、放送チャネルと関係付けられていない請求項１７記載の方法。
【請求項２１】
放送チャネルが単方向である請求項１７記載の方法。
【請求項２２】
放送リンクが、ＣＤＭＡの原理、ＧＳＭの原理、およびＯＦＤＭの原理の中の少なくとも１つによって特徴付けられる請求項２１記載の方法。
【請求項２３】
双方向無線リンクが、ＣＤＭＡリンク、ＧＳＭリンク、およびＯＦＤＭリンクの中の少なくとも１つである請求項１７記載の方法。
【請求項２４】
双方向無線リンクが、802.11リンク、ブルートゥースリンク、および衛星リンクの中の少なくとも１つであり、ポイント ツウ ポイント無線通信リンクである請求項１７記載の方法。
【請求項２５】
受信機が、マルチメディアストリームを表示するための少なくとも１つのディスプレイと、マルチメディアオーディオデータを与えるための少なくとも１つのスピーカとをもつ移動通信装置である請求項１７記載の方法。
【請求項２６】
制御データが、マルチメディアストリームを解読するのに役立つ少なくとも１つのキーを含む請求項１７記載の方法。
【請求項２７】
制御データが、マルチメディア放送サービスへの加入と関係付けられたデータを含む請求項１７記載の方法。
【請求項２８】
制御データが、マルチメディア放送ネットワーク上の登録と関係付けられたデータ、マルチメディアデータを再生するのに役立つ少なくとも１つのアプリケーション、請求書発行情報、およびユーザの好みに関係するデータの中の少なくとも１つを含む請求項１７記載の方法。
【請求項２９】
制御データが、マルチメディアストリームを与えることに関係するサービスのレベルに関係するデータを含む請求項１７記載の方法。
【請求項３０】
マルチメディアストリームがディジタルであり、暗号化される請求項１７記載の方法。
【請求項３１】
制御データが、マルチメディアストリームのデインターリービング、暗号化、逆圧縮、および復号に役立つデータを含む請求項１７記載の方法。
【請求項３２】
制御データが、チャネルの選択および追跡のために、マルチメディアストリーム内へ索引を付けるのに役立つデータを含む請求項１７記載の方法。
【請求項３３】
双方向リンク上で、サービスおよび製品の少なくとも一方を注文することを含む請求項１７記載の方法。
【請求項３４】
少なくとも２つの通信リンクを使用して、通信することができる無線クライアント局であって、
放送チャネル上で受信したディジタルマルチメディアストリームと、双方向無線リンク上で受信した制御データとを受信する少なくとも１つのプロセッサを含み、
プロセッサが、制御データを使用して、ディスプレイ上にマルチメディアストリームを提示することができる無線クライアント局。
【請求項３５】
双方向無線リンクが、放送チャネルと関係付けられていない請求項３４記載のクライアント局。
【請求項３６】
放送チャネルが、単方向である請求項３４記載のクライアント局。
【請求項３７】
双方向無線リンクが、ＣＤＭＡリンク、802.11リンク、ＧＳＭリンク、衛星リンク、およびブルートゥースリンクの中の少なくとも１つである請求項３４記載のクライアント局。
【請求項３８】
双方向無線リンクが、ポイント ツウ ポイント無線通信リンクである請求項３４記載のクライアント局。
【請求項３９】
制御データが、マルチメディアストリームを解読するのに役立つ少なくとも１つのキーを含む請求項３４記載のクライアント局。
【請求項４０】
制御データが、マルチメディア放送サービスへの加入と関係付けられたデータ、またはマルチメディア放送ネットワーク上の登録と関係付けられたデータ、あるいはこの両者を含む請求項３４記載のクライアント局。
【請求項４１】
制御データが、マルチメディアデータを再生するのに役立つ少なくとも１つのアプリケーションを含む請求項３４記載のクライアント局。
【請求項４２】
制御データが、ユーザの好みに関係する請求書発行情報データ、またはマルチメディアストリームを与えることに関係するサービスのレベルに関係するデータ、あるいはこの両者を含む請求項３４記載のクライアント局。
【請求項４３】
マルチメディアストリームがディジタルであり、暗号化される請求項３４記載のクライアント局。
【請求項４４】
制御データが、マルチメディアストリームを逆インターリービング、解読、逆圧縮、および復号するのに役立つデータを含む請求項３４記載のクライアント局。
【請求項４５】
制御データが、チャネルの選択および追跡のために、マルチメディアストリーム内へ索引を付けるのに役立つデータを含む請求項３４記載のクライアント局。
【請求項４６】
双方向リンク上で、サービスおよび製品の少なくとも一方を注文することができる請求項３４記載のクライアント局。
【請求項４７】
マルチメディアストリームを無線通信装置に与えるシステムであって、
無線放送チャネル上でマルチメディアストリームを放送する手段と、
双方向無線リンク上で、装置上にマルチメディアストリームを表示するのに必要な制御データを伝送する手段とを含むシステム。
【請求項４８】
マルチメディアストリームを暗号化する手段をさらに含む請求項４７記載のシステム。
【請求項４９】
暗号化手段と、そこから少なくともキーを受信するために通信する手段であって、双方向無線リンク上で無線受信機と通信する手段を含む請求項４８記載のシステム。
【請求項５０】
受信機に、マルチメディアストリームを再生することに関係するアプリケーションを与える通信手段と通信する手段をさらに含む請求項４９記載のシステム。
【発明の詳細な説明】
【技術分野】
【０００１】
関連出願の相互参照
本出願は、2003年1月22日に出願され、この中では全体的に参考によって取り入れられている米国仮特許出願第60/442,007号の特長に対して権利を主張している。
発明の分野
本発明は、概ね、コンピュータを用いた通信システムに関する。
【背景技術】
【０００２】
ビデオおよび音楽のようなディジタルマルチメディアデータは、無線電話のような移動受信機へ無線で伝送され、移動受信機のユーザは、そのマルチメディアを再生することができる。一般に、このようなデータは放送される。
マルチメディアデータ自体に加えて、補助的な制御データも受信機に与えなければならない。この制御データは、例えば、マルチメディアデータの権利を保護するために暗号化されるマルチメディアデータを解読するための解読キーを含む。また、制御データは、放送へのユーザの加入、放送サービスへのユーザの登録、請求書発行情報、およびアクセス制御データに関係する情報を含むことができる。
【発明の開示】
【発明が解決しようとする課題】
【０００３】
ディジタルメディアを無線放送するための現在の方法では、マルチメディアデータと共に、制御データを送る。この中で分かるように、これは、マルチメディアデータを搬送するのに使用できる通信バンド幅量を低減し、したがってバンド幅が集中する傾向がある。さらに加えて、本発明では、例えば、内容を容易に解読するには、より多くなく、不十分であるほど僅かしか、解読キーをもっていなくても、このキーを、このキーによって解読されるマルチメディアデータと共に送ってしまうことが、セキュリティ上の問題をもたらしていることを認識している。暗号化された内容を傍受する無許可の盗聴者も、それを解読するのに役立つ少なくとも幾つかの情報を受信し、その結果、内容を無断使用することに相当により近付く。
【課題を解決するための手段】
【０００４】
通信システムは、マルチメディアストリームを無線受信機へ無線放送リンク上で無線で放送する放送局を含む。受信機は、マルチメディアストリームと関係付けられた制御データを双方向無線リンク上で与えられる。
好ましい実施形態では、双方向無線リンクは、ＣＤＭＡリンク、802.11リンク、またはブルートゥースリンクである。また、双方向無線リンクは、ポイント ツウ ポイント無線通信リンクであってもよい。
【０００５】
例示的な実施形態では、制御データは、マルチメディアストリームを解読するのに役立つ暗号化キーを含むことができる。制御データは、マルチメディア放送サービスへの加入と関係付けられたデータ、マルチメディア放送ネットワーク上の登録と関係付けられたデータ、およびマルチメディアデータを再生するのに役立つアプリケーションも含むことができる。さらに加えて、制御データは、請求書発行情報、ユーザの好みに関係するデータ、およびマルチメディアストリームを与えることに関係するサービスのレベルに関係するデータを含むことができる。
【０００６】
とくに好ましい実施形態では、ディジタル権利管理（digital right management, DRM）サーバを含むマルチメディアサーバが与えられ、マルチメディアストリームを暗号化するのに役立つ。また、ディジタル放送マルチメディア（digital broadcast multimedia, DBM）制御装置が与えられ、ＤＲＭサーバから暗号化キーを得て、キーを許可されたユーザへ伝送するのに役立つ。また、ＤＢＭ制御装置は、ネットワーク制御局（network control center, NCC）を使用して、キーを許可されたユーザ受信機へ伝送することができる。ネットワーク制御局は、双方向無線リンク上で無線受信機と通信する。アプリケーションサーバは、ＤＢＭ制御装置と関係付けられ、マルチメディアストリームを再生することに関係するアプリケーションを、受信機に与える。アプリケーションサーバは、ネットワーク制御局とも関係付けられ、マルチメディアストリームを再生することに関係する追加のアプリケーションを、受信機に与える。上述のサーバの一部または全ては、互いに別々であっても、または一緒に統合されていてもよい。
【０００７】
別の態様では、マルチメディアストリームを無線通信装置に与える方法は、マルチメディアストリームを無線放送チャネル上で放送することと、マルチメディアストリームを装置上に表示するのに必要な制御データを、双方向無線リンク上で伝送することとを含む。
【０００８】
さらに別の態様では、少なくとも２つの通信リンクを使用して通信することができる無線クライアント局は、放送チャネル上のディジタルマルチメディアストリームと、双方向無線リンク上の制御データとを受信するプロセッサを含む。プロセッサは、制御データを使用して、マルチメディアストリームをディスプレイ上に提示できるようにする。
【０００９】
また別の態様では、マルチメディアストリームを無線通信装置に与えるシステムは、無線放送チャネル上でマルチメディアストリームを放送する手段を含む。また、システムは、双方向無線リンク上で、マルチメディアストリームを装置上に表示するのに必要な制御データを伝送する手段を含む。
【００１０】
本発明の、その構造および動作の両者についての詳細は、添付の図面を参照すると、最もよく理解することができる。この中で、同様の参照符号は、同様の部分を指す。
【発明を実施するための最良の形態】
【００１１】
最初に図１を参照すると、全体的に参照符号10で指示されたシステムが示されており、システム10は、放送ネットワークオペレーションセンター（network operations center, NOC）12を含み、ＮＯＣ12は、好ましくは単方向チャネル14を使用して、ディジタルマルチメディアの内容をマルチメディアストリームの形で無線移動局16（簡潔化のために、１つのみの移動局16が示されている）へ無線で放送する。また、移動局16は、プログラムのタイミングおよび符号情報を、放送チャネル14のページングチャネルまたは同期チャネル、あるいはこの両者の上で受信して、（ＤＯを用いたアーキテクチャのための）プログラムスロットか、または（ＣＤＭＡを用いたアーキテクチャのための）ウォルシュチャネルを追跡することができる。
【００１２】
マルチメディアストリームは、ＮＯＣ12と通信するか、または、さもなければ、関係付けられている１つ以上の源18から出力される。ストリームは、コンピュータを搭載したマルチメディアサーバ20へ送られ、マルチメディアサーバ20は、希望であれば、別々の、または一体構成のディジタル権利管理（ＤＲＭ）サーバを含み、この分野において知られているディジタル権利管理の原理にしたがって、サーバ20によって生成されるか、あるいはディジタル放送メディア（digital broadcast media, DBM）制御装置22または他の源によって双方向リンク上で与えられる暗号化キーを使用して、ストリームを暗号化する。したがって、マルチメディアサーバ20は、統合された、または別々のディジタル権利管理局を含み、ディジタルの権利のポリシーを実施するのに適した暗号化キーを与えることができる。
【００１３】
好ましいＤＢＭ制御装置22は、ＢＲＥＷサーバのような放送アプリケーションサーバ22aを含み、放送アプリケーションサーバ22aは、別途記載するように、双方向リンクを経由して、ソフトウエアおよび更新を移動局16に与える。また、好ましい、制約のないＤＢＭ制御装置22は、放送顧客マネージャ22ｂを含み、放送顧客マネージャ22ｂは、別途記載するように、双方向リンクを経由して、制御、加入サービス、および請求書発行に関係するデータを、移動局16と交換する。希望であれば、放送アプリケーションサーバ22ａおよび放送顧客マネージャ22ｂは、ＤＢＭ制御装置22から物理的に離れているが、それでも、ＤＢＭ制御装置22と通信できるものであってもよい。
【００１４】
マルチメディアストリームは、ＮＯＣ12の単方向放送無線トランシーバシステム24によって伝送される。トランシーバシステム24は、ＣＤＭＡの原理、ＧＳＭの原理、あるいは広帯域ＣＤＭＡ（ＷＣＤＭＡ）、ｃｄｍａ２０００（例えば、ｃｄｍａ２０００ １ｘまたは３ｘのエアーインターフェイス標準）、ＴＤＭＡ、またはＴＤ−ＳＣＤＭＡ、およびＯＦＤＭを含む他の無線原理を、制限なく、使用することができる。
【００１５】
示されているように、移動局16はプロセッサ26を含み、プロセッサ26は、マルチメディアストリームをディスプレイ28上に提示するために、オーディオ、ビデオ、またはオーディオ／ビデオ（audio/video, A/V）ディスプレイ28を駆動する。また、移動局16は、少なくとも1つの、場合によっては、２つ（または、それ以上）の通信受信機システム30、32を含む。第１のシステム30は、ＮＯＣ12との通信のために構成されている。対照的に、第２のシステム32は、双方向のポイント ツウ ポイントリンク上での通信のために構成されている。２つ以上の受信機が使用されるときは、希望であれば、両方の受信機を同一コンピュータチップ上で実行してもよい。
【００１６】
図１は、１つの制約のない実施形態において、ネットワーク制御局（network control center, NCC）34が、双方向のポイント ツウ ポイントリンク36上で移動局16と通信することも示している。また、ＮＣＣ34は、短く開示される原理にしたがって、ＮＯＣ12と通信し、単方向放送リンク14に加えて、ＮＯＣ12と移動局16とのデータ通信のための第２の経路を効率的に設定する。別の実施形態では、移動局16とＤＢＭ制御装置22との通信の第２の経路は、双方向の無線ポイント ツウ ポイントリンクを通り、これはＮＣＣを必ずしも通らず、例えば、ＤＢＭ制御装置22へ直接につながるブルートゥースリンクまたは802.11リンクであってもよい。
【００１７】
ＮＣＣ34は、民間の無線電話会社のＮＣＣであってもよい。リンク36の通信原理が、ＮＯＣ12と通信するのに使用されるのと同じ移動局内の通信受信機の使用を除外しているときは、移動局16の第２の受信機32を使用して、ＮＣＣ34と通信する。双方向リンク36は、例えば、ＣＤＭＡを用いたリンク、またはＧＳＭを用いたリンクであってもよい。
【００１８】
ＮＣＣ34が使用されるとき、ＮＣＣ34は、双方向無線トランシーバシステム38を含み、別途記載する開示にしたがって、移動局16との間でデータを双方向で通信する。ＮＣＣ34内には、ＮＣＣ制御装置／ルータ40も含まれていて、例えば、ＤＭＢ制御装置22から、暗号化キーと、ソフトウエアおよびソフトウエア更新を含む他の情報とを受信し、例えば、放送チャネル14上で受信した暗号化されたマルチメディアストリームを解読するための情報を、移動局16へ送る。ＤＢＭ制御装置22からの、別途記載される他の制御データを、ＤＢＭ制御装置22とＮＣＣ制御装置40との間で交換することができる。ＮＣＣ制御装置40およびＤＢＭ制御装置22は、インターネット接続による仮想私設ネットワーク（virtual private network, VPN）のような、セキュリティ保護された接続を使用して、または、他のリンクを使用して、通信することが好ましい。
【００１９】
したがって、ここで、“制御データ”が暗号化キーと、放送チャネル14上でのマルチメディアの商品としての提供を支援するのに一般に必要な他のタイプの情報とを含むことが分かるであろう。これは、マルチメディア放送サービスへの加入と関係付けられたデータと、マルチメディア放送ネットワーク上の登録と関係付けられたデータとを含むことができる。また、制御データは、マルチメディアデータを再生するか、または使用可能なタイトルを見るのに役立つ、ＢＲＥＷアプリケーションまたはＢＲＥＷに付属のアプリケーションのような、ソフトウエアアプリケーションを含んでもよい。さらに加えて、移動局16とＤＢＭ制御装置22との間で、例えば、ＮＣＣ34を経由して、交換することができる制御データは、ユーザの好みに関係するサービスまたは製品の注文情報およびデータと、マルチメディアストリームを与えることに関係するサービスのレベルに関係するデータとを含むことができる。また、請求書を発行するのに必要なデータを、ＤＢＭ制御装置22とＮＣＣ制御装置40との間で交換することもできる。その上、移動局のユーザは、双方向リンク上で製品およびサービスを注文することができる。制御データは、マルチメディアストリームの逆インターリービング、逆圧縮、および復号に役立つデータと、チャネルの選択および追跡のためにマルチメディアストリーム内へ索引を付けるのに役立つデータも含んでもよい。
【００２０】
例えば、移動局16のユーザは、双方向リンク36を使用して、放送ネットワーク上に登録することができる。ユーザは、放送チャネル14上で与えられる種々のマルチメディア放送サービスにも加入し、サービスのレベル（例えば、基本層のみ、および基本層および拡張層、など）についての好みを示し、それにしたがって請求書が発行されることもできる。さらに加えて、ユーザは、リンク36上で使用可能なプログラムのタイトルのリストを受信し、放送チャネル14上で受信するマルチメディアストリームのタイトルを選択することができる。
【００２１】
コンピュータを使用して行うことができる本発明の処理は、図２を参照して理解することができる。ブロック42において始まり、暗号化キーは、この分野において知られているキーの原理にしたがって、例えば、マルチメディア（multimedia, MM）サーバ20と関係付けられているＤＲＭセンターによって、またはＤＢＭ制御装置22によって生成される。ＸｒＭＬ、ＯＤＲＬ、などのような、標準権利表現言語は、個々のユーザのライセンスの権利を表現するのに用いることができる。高度暗号化標準（Advanced Encryption Standard, AES）、等のような暗号化方法を、キーの生成およびマルチメディアストリームの暗号化に使用することができる。ブロック44において、キーをＮＯＣ12のマルチメディアサーバ20に与え、ブロック46において、キーを使用して、マルチメディアストリームを暗号化し、ブロック48において、放送する。
【００２２】
図２は、上述の論理と並行して、ブロック42において、キーが生成されると、ＤＢＭ制御装置22を使用して、双方向リンク36上で、ＮＣＣ34を経由して、移動局へキーを与えることができることを示している。ブロック49において、移動局16は、１本以上のマルチメディアストリームを復号するための１つ以上のプログラムキーの必要を判断し、双方向リンク36によるＮＣＣ34を経由するデータ接続を要求する。ブロック52において、移動局16は、ＤＲＭサーバからキーを要求する。ブロック53において、移動局の（キーを受信する権利に対する）要求がＤＲＭサーバによって認証される。移動局がキーの受信を許可されると仮定すると、ブロック50において、キーは、ＤＢＭ制御装置22から、ＮＣＣ制御装置／ルータ40へ送られる。そこから、ブロック54において、キーは、双方向リンク36を使用して、（例えば、リンク36が、制御装置22を移動局16へ直接にリンクするブルートゥースまたは802.001リンクであるときは）ＤＢＭ制御装置22から直接に、またはＮＣＣ34を経由して、移動局16へ送られる。ブロック56において、移動局は、放送チャネル14上で受信した内容を、双方向のポイント ツウ ポイントリンク36上で受信したキーを使用して解読する。
【００２３】
ここで、図３を参照すると、ブロック58において、移動局16による選択に対して、上述で触れたある特定の制御情報を、双方向リンク36上で与えることができる。例えば、移動局16のユーザが、上述で触れた特定のプログラム、加入、または放送忠実度オプション、等を登録または選択できるようにすることに関係する制御情報を与え、その結果、ユーザは、希望のサービスオプションを適切に選択し、ブロック60において、その選択を（例えば、ＮＣＣ34を経由して）ＤＢＭ制御装置22へ再び伝送することができる。ブロック61において、応答して、情報は放送顧客マネージャ22ｂによって記憶され、マルチメディアストリームを復号するパラメータが、双方向リンク36上で移動局16へ再び伝送される。ブロック62において、制御情報の交換と関係付けられたマルチメディアストリームが送られ、移動局16によって復号される。
【００２４】
同様に、図４は、請求書発行情報が、双方向リンク36上で交換されることを示している。ブロック64において始まり、例えば、移動局16のユーザによって選択された特定のプログラム、加入、または放送忠実度オプションに関係する制御情報が、ＮＯＣ12のＤＢＭ制御装置22から集められる。いくつかの実行では、制御情報はＮＣＣ34によって一時的に保持され、この場合は、制御情報は一時記憶装置から集められる。また、ブロック66において、実際に移動局16に与えることに成功したサービスに関係する情報が集められる。ブロック68において、ブロック64および66において集められた情報を使用して、移動局16の顧客ユーザに請求書を発行する。
【００２５】
この中で詳しく示され、記載されている特定のSYSTEM AND METHOD FOR CONTROLLING BROADCAST MULTIMEDIA USING PLURAL WIRELESS NETWORK CONNECTIONSは、本発明の上述の目的を完全に実現することができる一方で、これが、本発明の現在の好ましい実施形態であり、したがって、本発明によって広く検討される課題を表わしていること、本発明の技術的範囲が、当業者には明らかになる他の実施形態を十分に含むこと、このために、本発明の技術的範囲が、本発明の特許請求項のみによって制限されることが分かるであろう。特許請求項の中で、要素を単数形で記載しているのは、“１つおよび１つのみ”を意味すると明示的に記載されていない限り、そのように意味することを意図しているのではなく、むしろ“１つ以上”を意味することを意図している。当業者には知られているか、または将来知られることになる上述の好ましい実施形態の要素と構造および機能上等しい全てのものは、参照によってこの中に明らかに取入れられ、本発明の特許請求項によって含まれることが意図されている。さらに加えて、本発明によって解決されることが求められている各および全ての問題に対処する装置または方法は、本発明の特許請求項によって含まれる必要はない。さらにその上、本発明の開示の中の要素、構成要素、または方法のステップは、その要素、構成要素、または方法のステップが特許請求項内に明示的に記載されているかどうかに関らず、一般向けであることを意図されていない。“（のための）手段(means for)”という語句を使用して明示的に記載されていないか、方法の特許請求項の場合は、要素が“動作（act）”の代わりに、“ステップ(step)”として記載されていない限り、この中の権利を主張している要素は、米国特許法第１１２条第６項の規定のもとにあると解釈されない。
【図面の簡単な説明】
【００２６】
【図１】本発明のシステムのブロック図。
【図２】放送単方向チャネル上の放送マルチメディアストリームと、双方向のポイント ツウ ポイントリンク上の制御データおよび暗号化キーとを与える本発明の処理のフローチャート。
【図３】制御情報転送の論理を示すフローチャート。
【図４】請求書発行論理のフローチャート。
【符号の説明】
【００２７】
10・・・システム、14・・・単方向チャネル、36・・・双方向のポイント ツウ ポイントリンク。
【図１】
2006523386.tif 000003
【図２】
2006523386.tif 000004
【図３】
2006523386.tif 000005
【図４】
2006523386.tif 000006
【国際調査報告】
2006523386.tif 000007